(57)【要約】【課題】  簡単な構造で、従来品では得られない程度に長さを変えることができる、ネックレスやブレスレットなどの装身具を提供する。【解決手段】  内部にボールチェーンを内蔵し、両端が閉塞されてなる円筒形状を有する複数のケース２を、端部に遊嵌されてなるリング部材により接合して装身具を構成し、ケース２を、一方の端に閉塞部を有し、他方の端に開口部を有する円筒形状の一対のケース個片を、前記開口部の内部に配されてなるカプラーにより、前記一対のケース個片の前記開口部を脱着可能な状態で結合する構造とする。ボールチェーンは、一対のケース個片の内部に、前記ケース個片の長さ方向に摺動可能な状態に配されてなるストッパーに、両端が接合された状態で前記ケースに内蔵され、カプラーとケース個片の着脱により伸縮可能となる。【選択図】図１
2016144614.tif 000002
【特許請求の範囲】
【請求項１】
内部にボールチェーンを内蔵し、両端が閉塞されてなる円筒形状を有する複数のケースを、端部に遊嵌されてなるリング部材により接合してなる装身具であって、前記ケースは、一方の端に閉塞部を有し、他方の端に開口部を有する円筒形状の一対のケース個片を、前記開口部の内部に配されてなるカプラーにより、前記一対のケース個片の前記開口部を脱着可能な状態で結合してなり、前記ボールチェーンは、一対の前記ケース個片の内部に、前記ケース個片の長さ方向に摺動可能な状態に配されてなるストッパーに、両端が接合された状態で前記ケースに内蔵されなることを特徴とする装身具。
【請求項２】
前記ボールチェーンは、リンクがボールの内部に収納された状態が、前記前記ケースに収納可能な長さを有することを特徴とする、請求項１に記載の装身具。
【発明の詳細な説明】
【技術分野】
【０００１】  本発明は、鎖状の装身具に関するもので、特に一定範囲内で長さの調整が可能な装身具に関するものである。
【背景技術】
【０００２】  一般的にネックレスやブレスレットのような装身具は、貴金属を鎖状に構成するか、貫通孔を設けた、複数の真珠や宝石の、当該貫通孔に連繋索を挿通して構成される。例えば真珠のネックレスにおいては、連繋索として、ナイロンやアラミド繊維の撚糸のように大きな高張力を備えた糸などが用いられる他、超弾性合金のような可撓性の大きな金属製のワイヤが用いられる。【０００３】  その両端には、連結用の金具が取り付けられ、環状にして、首や手首に装着する。その長さは、首や手首の周囲に合わせて製作されているため、装着の際に不便を感じることがある。また、ネックレスは、服装に合わせて、長さの異なるものを装着することがある。このため、これらの装身具は、長さの調整が可能であると、装着の際の利便性が向上したり、服装との調和性が向上したりすることが想定される。【０００４】  このような課題に対処する技術を概観すると、特許文献１には、シリンダ状のパイプ内にバネを配した構成を備えたリング状装身具の伸縮部材が開示されている。しかし、ここに開示されている伸縮部材は、構造が複雑で、全長に占める伸び代の比率が小さく、改善の余地がある。【０００５】  また、特許文献２には、超弾性形状記憶合金製のワイヤを複数本束にして一緒に螺旋状に密巻きしたチューブ状のコイルを用いることにより、所望のしなやかさや復元力を持ち、ある程度の伸縮性を持った連繋索を得られることが開示されている。この連繋索を用いたネックレスは、装着した際に首にぶら下がるだけでなく、環状の形状を維持するという効果が期待できるが、やはり伸び代が小さく、前記の課題に十分に対応できるとは言えないものである。
【先行技術文献】
【特許文献】
【０００６】
【特許文献１】  特開２００１−２５２１１３号公報
【特許文献２】  特開２００７−２４４４５８号公報
【発明の概要】
【発明が解決しようとする課題】
【０００７】  従って、本発明の課題は、簡単な構造で、従来品では得られない程度に長さを変えることができる、ネックレスやブレスレットなどの装身具を提供することにある。
【課題を解決するための手段】
【０００８】  本発明は、貴金属を鎖状に構成した装身具であれば、装身具を構成する部品の形状の自由度が大きいことに着目し、その構造を再検討した結果なされたものである。【０００９】  即ち、本発明は、内部にボールチェーンを内蔵し、両端が閉塞されてなる円筒形状を有する複数のケースを、端部に遊嵌されてなるリング部材により接合してなる装身具であって、前記ケースは、一方の端に閉塞部を有し、他方の端に開口部を有する円筒形状の一対のケース個片を、前記開口部の内部に配されてなるカプラーにより、前記一対のケース個片の前記開口部を脱着可能な状態で結合してなり、前記ボールチェーンは、一対の前記ケース個片の内部に、前記ケース個片の長さ方向に摺動可能な状態に配されてなるストッパーに、両端が接合された状態で前記ケースに内蔵されなることを特徴とする装身具である。【００１０】  また、本発明は、前記ボールチェーンが、リンクがボールの内部に収納された状態が、前記前記ケースに収納可能な長さを有することを特徴とする、前記の装身具である。
【発明の効果】
【００１１】  ボールチェーンは、キーホルダーなど様々な用途に用いられているが、その構造は中空の球を、リンクと称される棒状の部材で連結したもので、リンクが球内の中空部を一定範囲で可動であるあるため、全体の長さを一定範囲で変えることができる。しかし、通常は、特にリンクの動きを束縛する機構がないので、伸縮可能でありながら伸びきった状態で使用されている。【００１２】  本発明者は、リンクがボールの内部に収納された状態、つまり短くなった状態を保持する構造を、鋭意検討した結果、前記のようなケースの構造に想到し、ボールチェーンとケースを貴金属で構成し、ケースの表面に、装身具に相応しいデザインを施すことで、例えばネックレスとして使用できることを見出した。
【図面の簡単な説明】
【００１３】
【図１】  本発明に係るネックレスの一例を示す図。
【図２】  図１におけるＡ部を拡大した断面図。
【図３】  ボールチェーンの断面図。
【図４】  カプラーを拡大した斜視図。
【発明を実施するための形態】
【００１４】  次に本発明の実施の形態について、具体的な図に基づいて説明する。
【００１５】  図１は、本発明に係るネックレスの一例を示す図である。図１において、１はネックレス、２はケース、３はケースを連結するためのリング部材、４はネックレスを環状に接合するために用いる接合具である。ここに示した図は、ボールチェーンがケース２の内部に収納され、ネックレス１が最も短くなった状態を示している。
【００１６】  図２は、図１におけるＡ部を拡大した断面図で、図２（ａ）はボールチェーンがケース内部に収納されて短くなった状態、図２（ｂ）はケースが開口部でケース個片に分割されボールチェーンが伸びた状態である。
【００１７】  図２おいて、２ａ、２ｂはケース個片、５ａはボールチェーンのボール、５ｂはボールチェーンのリンク、６ａ、６ｂはケース個片を接合するためのカプラー、７ａ、７ｂはボールチェーンの端部がケースの外に外れるのを防止するためのストッパー、８ａ、８ｂはケース個片の開口部である。
【００１８】  図３は、ボールチェーンの断面図で、図３（ａ）はリンク５ｂがボール５ａの中空部に収納され、ボール５ａが近接して、ボールチェーンが最も短くなった状態を示し、図３（ｂ）はリンク５ｂが両端を残してボール５ａの外部に引き出され、最も長くなった状態を示す。また、図４は図２における右側のカプラー６ｂを拡大した斜視図で、６ｃはカプラー６ｂの図における左端の径を縮小するためのスリットである。
【００１９】  図に示したように、ケース個片２ａ、２ｂは、開口部８ａ、８ｂの反対側の端部に遊嵌したリング部材３により隣接するケース個片とそれぞれ接合されている。ボールチェーンの両端は、ケース個片２ａ，２ｂの内部に、長さ方向に摺動可能に配されたストッパーに接合されている。
【００２０】  カプラー６ａ、６ｂは、ケース個片２ａ、２ｂのそれぞれの内周側に、ろう付けやカシメにより固定されているので、ストッパー６ａ、６ｂはケース個片２ａ、２ｂの外側に外れることがない構造である。またカプラー６ｂ、つまり一対のカプラーの一方は、一方のケース個片の外側に一部が露出した状態で固定され、露出した部分にはスリット６ｃが設けられているので、図２におけるケース個片２ａの内周と、カプラー６ｂの外周のはめあいを、しまりばめとしておくことで、ケース個片２ａにカプラー６ｂを圧入可能となり、ケース個片２ａ、２ｂを接合し、固定できる。
【００２１】  このようにカプラー６ｂとケース個片２ａの着脱により、ケース２をケース個片２ａ、２ｂに分離したり、逆に接合することが自在に行える。そして、ボールチェーンがケース２の内部に収納された状態では、長さが短くなり、ケース個片２ａ、２ｂが分離した状態ではボールチェーンの長さを最大とすることができ、ケース２の１箇毎に、図２（ｂ）に示したｄだけ、ネックレス１の長さを延長できる。つまり、ケース２の箇数分だけ異なる長さに調整できる。
【００２２】  以上に説明したように、本発明によれば、金属製で、長さの調整が簡単に行える、ネックレス、ブレスレットなどを提供できる。なお、本発明は、前記実施の形態に限定されるものではなく、本発明の分野における通常の知識を有する者であれば想到し得る、各種変形、修正を含む、本発明の要旨を逸脱しない範囲の設計変更があっても、本発明に含まれることは勿論である。
【符号の説明】
【００２３】１・・・ネックレス    ２・・・ケース    ２ａ、２ｂ・・・ケース個片
３・・・リング部材    ４・・・接合具    ５ａ・・・ボール
５・・・リンク    ６ａ，６ｂ・・・カプラー    ６ｃ・・・スリット
７ａ，７ｂ・・・ストッパー    ８ａ，８ｂ・・・開口部
【図１】
2016144614.tif 000003
【図２】
2016144614.tif 000004
【図３】
2016144614.tif 000005
【図４】
2016144614.tif 000006